(57)【要約】【課題】本発明は、縦仕切り板と横仕切り板との嵌合係止力を大幅にアップせしめ、区画形成せしめた各小室の形態を変動せしめることなく常に確実に保形せしめて収納物品を正確、かつ確実に区分け保持せしめることが出来る、仕切り具を提供するものである。【解決手段】所要の幅と長さを備えた縦仕切り板３と横仕切り板２とを略格子状に嵌合係止して箱体１４等の内部を所要の小室に区画形成せしめる仕切り具１ａ・１ｂであって、上記縦仕切り板３と横仕切り板２の一方にはその上端部に嵌合切欠き溝４が、同下部には嵌合長孔５が、同下端部には該嵌合長孔５と連通するスリット７を介して開閉自在な嵌合係止部６が各々幅方向に沿って所定間隔毎に形成されると共に、同他方には同形状の嵌合係止部９と嵌合長孔１０と嵌合切欠き溝１１とが各々嵌合係止自在に対向形成されている。【選択図】図１
2012224340.tif 000002
【特許請求の範囲】
【請求項１】
所要の幅と長さを備えた縦仕切り板と横仕切り板とを略格子状に嵌合係止して箱体等の
内部を所要の小室に区画形成せしめる仕切り具であって、上記縦仕切り板と横仕切り板の
一方にはその上端部に嵌合切欠き溝が、同下部には嵌合長孔が、同下端部には該嵌合長孔
と連通するスリットを介して開閉自在な嵌合係止部が各々幅方向に沿って所定間隔毎に形
成されると共に、同他方には同形状の嵌合係止部と嵌合長孔と嵌合切欠き溝とが各々嵌合
係止自在に対向形成されてなることを特徴とする、仕切り具。
【請求項２】
上記嵌合係止部の外端縁にはスリットに沿って嵌合せしめるべく略湾曲状のガイド部が
切欠き形成されてなることを特徴とする、請求項１記載の仕切り具。        
【発明の詳細な説明】
【技術分野】
【０００１】
本発明は、箱体等の内部を略格子状に仕切って所要数の小室に区画形成せしめるさいに
使用する、仕切り具に関する。
【背景技術】
【０００２】
従来より、菓子や陶器などの物品の販売や展示、或いは貯蔵等を行う場合には、所要の
箱体内に上記菓子などの物品を収納して保管や持ち運びに供されている。そして、持ち運
び時などにおける収納物品の散りを防いだり、あるいは、箱体内での収納物品の移動を規
制する目的で、箱体内の空間を仕切って小室に区画形成せしめる仕切り具が用いられてい
る。
【０００３】
ところで、この種の仕切り具としては、下端部に下向き状の嵌合切り溝が幅方向に沿っ
て所定間隔毎に形成された縦仕切り板と、該嵌合切り溝に対応すべく上端部に上向き状の
嵌合切り溝が幅方向に沿って形成された横仕切り板とより構成されたものが知られている
（実開昭６２−１８２２１１号公報、特開平１１−７９１６１号公報参照）。
【０００４】
そして、上述のごとく構成された従来の仕切り具は、下向き状の嵌合切り溝と上向き状
の嵌合切り溝とを嵌合係止せしめつつ、縦仕切り板と横仕切り板とを格子状に組立て、箱
体内に組込んで小室に区画形成せしめると共に、各小室に所要の物品を区分け状に収納せ
しめるものとされている。
【先行技術文献】
【特許文献】
【０００５】
【特許文献１】実開昭６２−１８２２１１号公報
【特許文献２】特開平１１−７９１６１号公報（段落番号０００２、図２）
【発明の概要】
【発明が解決しようとする課題】
【０００６】
ところで、上述のごとく構成された従来の仕切り具は、下向き状の嵌合切り溝と上向き
状の嵌合切り溝とを嵌合係止せしめつつ、縦仕切り板と横仕切り板とを略格子状に組立て
て箱体内に組込むものであるから、縦仕切り板と横仕切り板との嵌合係止力が弱いもので
ある。このため、グラついたり、あるいはガタついて区画形成せしめた各小室の形態を変
動せしめやすく、ひいては、収納物品の確実なる区分け保持がしずらいのみならず、場合
によっては縦仕切り板と横仕切り板との嵌合係止が外れ、収納物品が散ける等のおそれが
あるものである。
【０００７】
本発明は従来の課題を解決し、縦仕切り板と横仕切り板との嵌合係止力を大幅にアップ
せしめ、区画形成せしめた各小室の形態を変動せしめることなく常に確実に保形せしめて
収納物品を正確、かつ確実に区分け保持せしめることが出来る、仕切り具を提供しようと
するものである。
【課題を解決するための手段】
【０００８】
上記の目的を達成するため、本発明の請求項１記載の発明は、所要の幅と長さを備えた
縦仕切り板と横仕切り板とを略格子状に嵌合係止して箱体等の内部を所要の小室に区画形
成せしめる仕切り具であって、上記縦仕切り板と横仕切り板の一方にはその上端部に嵌合
切欠き溝が、同下部には嵌合長孔が、同下端部には該嵌合長孔と連通するスリットを介し
て開閉自在な嵌合係止部が各々幅方向に沿って所定間隔毎に形成されると共に、同他方に
は同形状の嵌合係止部と嵌合長孔と嵌合切欠き溝とが各々嵌合係止自在に対向形成されて
なることを特徴とする、仕切り具を要旨とするものである。
【０００９】
そして、上記請求項１記載の仕切り具は、上記嵌合係止部の外端縁にはスリットに沿っ
て嵌合せしめるべく略湾曲状のガイド部が切欠き形成されている。
【発明の効果】
【００１０】
本発明の請求項１記載の発明は、上述のように構成されているから、嵌合係止部どうし
を対向状に当てがいつつ押圧せしめ、スリットに沿って拡開せしめつつ、縦仕切り板と横
仕切り板とを嵌合せ、嵌合長孔を通して上下端の嵌合切欠き溝に各々強固に嵌合係止せし
めることが出来るものであって、ひいては、従来例に比して縦仕切り板と横仕切り板との
嵌合係止力を大幅にアップせしめ、区画形成する各小室の形態を変動せしめることなく確
実に保形せしめて収納物品を正確、かつ確実に区分け保持せしめることが出来るものであ
る。
【図面の簡単な説明】
【００１１】
【図１】本発明の一実施例を示す分解斜視図である。
【図２】図１のＡ部拡大正面図である。
【図３】本発明の組立てた使用状態を示す斜視図である。
【図４】実施例の縦仕切り板３と横仕切り板２を格子状に嵌合係止せしめた状態を示す一部拡大斜視図である。
【図５】図４のＢ−Ｂ線に沿う断面図である。
【図６】本発明の他の使用状態を示す正面図である。
【図７】本発明のその他の使用状態を示す正面図である。
【図８】本発明の他の実施例を示す斜視図である。
【図９】本発明の他の実施例の組立てた使用状態を示す斜視図である。
【図１０】縦仕切り板３の嵌合係止部９の変形例を示す一部拡大正面図である。
【発明を実施するための形態】
【００１２】
以下に、本発明を実施するための形態を図面に示す一実施例に基づいて詳細に説明する
。
【００１３】
図１〜図５は本発明の一実施例を示すもので、同図中、１ａは箱体等の内部を略格子状
に仕切る仕切り具、２・３は該仕切り具１ａを構成する所要の幅と長さを備えた若干弾性
を有する合成樹脂製の横仕切り板と縦仕切り板である。
４は上記横仕切り板２の幅方向に沿ってその上端部に所定間隔毎に形成された所要数の
嵌合切欠き溝、５は該各嵌合切欠き溝４に対応すべく同下部に形成された長尺状の嵌合長
孔で、該嵌合長孔５の孔幅と上記嵌合切欠き溝４の溝幅は上記縦仕切り板３が嵌合自在な
大きさに設定されている。６は上記嵌合長孔５の下端部と連通するスリット７を介して開
閉作動自在に形成された嵌合係止部で、該嵌合係止部６は上記嵌合切欠き溝４や嵌合長孔
５と共に幅方向に沿って同一線上に位置せしめられると共に、該各嵌合係止部６の下端縁
には前記縦仕切り板３をガイドせしめつつスリット７に沿って嵌合せしめるべ略湾曲状の
ガイド部８が形成されている。  
【００１４】
９・１０・１１は上記横仕切り板２の嵌合切欠き溝４と嵌合長孔５とスリット７付き嵌
合係止部６とに各々嵌合係止せしめるべく、上記縦仕切り板３の幅方向に沿って同一線上に形成されたガイド部１３を備えたスリット１２ａ付き嵌合係止部と、嵌合長孔と、嵌合切欠き溝で、該各嵌合係止部９・嵌合長孔１０・嵌合切欠き溝１１は各々横仕切り板２のそれと同形状に形成せしめられている。
その他、１４は所要の幅と深さを備えた方形体状の箱体である。  
【００１５】
次に、上述のごとく構成された仕切り具１ａの使用状態について説明する。  
先ず、図１に示すように、順次横仕切り板２の嵌合係止部６を縦仕切り板３の嵌合係止
部９に当てがいつつ押圧せしめる。そして、スリット７・１２ａに沿って各々外側方に強
制的に拡開せしめつつ、横仕切り板２を縦仕切り板３に嵌合せしめ、嵌合長孔５・１０を
通して上下端の嵌合切欠き溝４・１１に嵌合係止部６・９を各々嵌合係止せしめ、格子状
に組立てる。しかるのち、箱体１４内に組付け、内部を小室に区画形成せしめて所要の物
品を各小室内に区分けして収納せしめる（図３〜図５参照）。
このさい、横仕切り板２と縦仕切り板３とは、各々その嵌合係止部６・９を嵌合切欠き
溝４・１１に各々嵌合せしめつつスリット７・１２ａに沿って閉作動せしめることにより
係止せしめるものであるから、その嵌合係止力を大幅にアップせしめることが出来るもの
であって、ひいては、区画形成せしめた各小室の形態を変動せしめることなく常に確実に
保形せしめて収納物品を正確、かつ確実に区分け保持せしめることが出来るものである。
【００１６】
図６は本発明に係る仕切り具１ａの他の適用例を示すもので、横仕切り板２と縦仕切り
板３とを格子状に組立てて所要の商品陳列棚１５に組付け、商品陳列棚１５を所要数の小
室に区画形成せしめて所要の商品を陳列せしめるものである。
【００１７】
図７は本発明に係る仕切り具１ａの他の適用例を示すもので、横仕切り板２と縦仕切り
板３とを菱形格子状に組立てて商品陳列台１６などの上にセットせしめ、商品の陳列のみ
ならずアクセサリ−的な使用に供せしめるものである。
【００１８】
図８及び図９は本発明の他の実施例を示す仕切り具１ｂで、横仕切り板２の各嵌合切欠
き溝４と嵌合長孔５とスリット７付き嵌合係止部６とが上端部より斜下向き状に形成され
ると共に、これに対応すべく縦仕切り板３の嵌合係止部９と嵌合長孔１０と嵌合切欠き溝
１１とが各々上端部より斜下向き状に形成された点が、上記実施例と相違し、他の部分は
同一であり、同一符号は同一部分を示す。
【００１９】
そして、上述のごとく構成された実施例は、図９に示すように、上記実施例と同様に縦
仕切り板３に対して横仕切り板２を傾斜状に組立てて所要の箱体１４内に組付け、所要数
の小室に区画形成せしめて所要の物品を区分け収納せしめるものである。  
【００２０】
なお、上記実施例において、横仕切り板２と縦仕切り板３の嵌合係止部６・９は各々直
線状のスリット７・１２ａを介して開閉自在とされているが、係止時における嵌合切欠き
溝４・１１からの離脱を防止して強固に係止せしめるべく縦仕切り板３のスリット１２ｂ
を図１０に示すように噛み合い自在な鋸歯状に形成してもよく、横仕切り板２のスリット
７についても同様である。
また、上記実施例において、横仕切り板２には嵌合切欠き溝４と嵌合長孔５と嵌合係止
部６が形成されると共に、縦仕切り板３には嵌合係止部９と嵌合長孔１０と嵌合切欠き溝
１１が対向状に形成されているが、これに限定されるものではなく、横仕切り板２に嵌合
係止部９と嵌合長孔１０と嵌合切欠き溝１１を形成せしめると共に、縦仕切り板３に嵌合
切欠き溝４と嵌合長孔５と嵌合係止部６を各々対向状に形成せしめてもよいものである。
【符号の説明】
【００２１】
１ａ・１ｂ  仕切り具
２  横仕切り板
３  縦仕切り板
４  嵌合切欠き溝
５  嵌合長孔
６  嵌合係止部
７  スリット
８  ガイド部
９  嵌合係止部
１０  嵌合長孔
１１  嵌合切欠き溝
１２ａ・１２ｂ  スリット
１３  ガイド部
１４  箱体
【図１】
2012224340.tif 000003
【図２】
2012224340.tif 000004
【図３】
2012224340.tif 000005
【図４】
2012224340.tif 000006
【図５】
2012224340.tif 000007
【図６】
2012224340.tif 000008
【図７】
2012224340.tif 000009
【図８】
2012224340.tif 000010
【図９】
2012224340.tif 000011
【図１０】
2012224340.tif 000012